【手続補正書】
【提出日】平成27年2月2日(2015.2.2)
【手続補正１】
【補正対象書類名】明細書
【補正対象項目名】００１０
【補正方法】変更
【補正の内容】
【００１０】
そのために本発明では、複数の記録素子を配列した記録素子列を備えた記録ヘッドを、当該記録素子の配列方向と交差する方向に複数回走査し、前記記録ヘッドの複数回の走査の間それぞれで、記録媒体を前記記録素子の配列方向に、搬送手段によって前記複数の記録素子の配列長さより少ない所定量を搬送することにより、前記記録ヘッドの複数回の走査で前記所定量の幅の単位領域の画像の記録を行い、該複数の記録素子の配列方向に沿った画素列の記録を行うために、前記複数回の走査それぞれにおいて、前記複数の記録素子のうちの所定数の前記配列方向に連続する記録素子のグループ毎に、グループ内の前記所定数の記録素子の各々が予め定められた互いに異なる駆動順序で順番に駆動されるように前記複数の記録素子を駆動する駆動手段を備えた記録装置であって、前記配列方向における前記所定量に相当する数と前記異なる駆動順序が定められる記録素子の数の一方が他方に対して割り切れない第１の場合に、前記駆動手段は、前記記録素子列において、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行うことを特徴とする。
【手続補正２】
【補正対象書類名】特許請求の範囲
【補正対象項目名】全文
【補正方法】変更
【補正の内容】
【特許請求の範囲】
【請求項１】
複数の記録素子を配列した記録素子列を備えた記録ヘッドを、当該記録素子の配列方向と交差する方向に複数回走査し、前記記録ヘッドの複数回の走査の間それぞれで、記録媒体を前記記録素子の配列方向に、搬送手段によって前記複数の記録素子の配列長さより少ない所定量を搬送することにより、前記記録ヘッドの複数回の走査で前記所定量の幅の単位領域の画像の記録を行い、該複数の記録素子の配列方向に沿った画素列の記録を行うために、前記複数回の走査それぞれにおいて、前記複数の記録素子のうちの所定数の前記配列方向に連続する記録素子のグループ毎に、グループ内の前記所定数の記録素子の各々が予め定められた互いに異なる駆動順序で順番に駆動されるように前記複数の記録素子を駆動する駆動手段を備えた記録装置であって、
前記配列方向における前記所定量に相当する数と前記異なる駆動順序が定められる記録素子の数の一方が他方に対して割り切れない第１の場合に、前記駆動手段は、前記記録素子列において、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行うことを特徴とする記録装置。
【請求項２】
前記駆動手段は、前記単位領域の記録を完成するための複数回の走査の間で、前記複数の記録素子の駆動順序のオフセットを行い、前記単位領域における走査方向の同じ画素列を記録可能な記録素子の駆動順序を同じにすることを特徴とする請求項１に記載の記録装置。
【請求項３】
前記記録装置は、所定の画素数の領域の２値記録データの配置を定めたインデックスパターンを用いて２値記録データを生成し、記録媒体の所定領域内の所定の画素数の領域毎の前記インデックスパターンを示すパターン選択マトリクスに従って、前記所定の画素数の領域に用いる前記インデックスパターンを選択し、
記録媒体搬送の前記所定量は、前記所定領域の前記記録媒体の搬送方向のサイズに一致することを特徴とする請求項１または２に記載の記録装置。
【請求項４】
複数の記録素子を配列した記録素子列を備えた記録ヘッドを、当該記録素子の配列方向と交差する方向において走査し、前記記録ヘッドの走査と次の走査の間に、記録媒体を前記記録素子の配列方向に、搬送手段によって搬送して画像の記録を行い、前記複数の記録素子の配列方向に沿った画素列の記録を行うために、前記走査において、前記複数の記録素子のうちの所定数の前記配列方向に連続する記録素子のグループ毎に、グループ内の前記所定数の記録素子の各々が予め定められた互いに異なる駆動順序で順番に駆動されるように前記複数の記録素子を駆動する駆動手段を備えた記録装置であって、
前記配列方向における前記走査と次の走査の間の記録媒体の搬送の所定量に相当する数と前記異なる駆動順序が定められる記録素子の数の一方が他方に対して割り切れない第１の場合に、前期駆動手段は、前記記録素子列において、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行うことを特徴とする記録装置。
【請求項５】
前記複数の記録素子を駆動する駆動手段は、前記第１の場合に、前記記録媒体の搬送の所定量に相当する数と前記駆動順序が異なる記録素子の数との最大公約数の数の連続する記録素子で構成される記録素子単位の間で、前記最大公約数の数の連続する記録素子それぞれの駆動順序を示す数の差が同じになるように、前記複数の記録素子の駆動を行うことを特徴とする請求項１から４のいずれか１項に記載の記録装置。
【請求項６】
前記複数の記録素子を駆動する駆動手段は、前記配列方向における前記記録媒体の搬送の所定量に相当する数と前記異なる駆動順序が定められる記録素子の数の一方が他方に対して割り切れる場合には、前記第１の場合と異なる駆動順序で前記複数の記録素子を駆動することを特徴とする請求項１から５のいずれか１項に記載の記録装置。
【請求項７】
前記複数の記録素子を駆動する駆動手段は、前記第１の場合であって、前記記録媒体の搬送の所定量に相当する数が、前記記録媒体の搬送量と前記駆動順序が異なる記録素子の数との最大公約数で割り切れる場合に、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行い、前記所定量に相当する数が、前記最大公約数で割り切れない場合には、前記第１の場合と異なる駆動順序で前記複数の記録素子を駆動することを特徴とする請求項１から６のいずれか１項に記載の記録装置。
【請求項８】
前記記録媒体の搬送の所定量に相当する数は前記所定数の記録素子に定められる異なる駆動順序の数より大きいことを特徴とする請求項１から７のいずれか１項に記載の記録装置。
【請求項９】
複数の記録素子を配列した記録素子列を備えた記録ヘッドを、当該記録素子の配列方向と交差する方向に複数回走査し、前記記録ヘッドの複数回の走査の間それぞれで、記録媒体を前記記録素子の配列方向に、搬送手段によって前記複数の記録素子の配列長さより少ない所定量を搬送することにより、前記記録ヘッドの複数回の走査で前記所定量の幅の単位領域の画像の記録を行い、該複数の記録素子の配列方向に沿った画素列の記録を行うために、前記複数回の走査それぞれにおいて、前記複数の記録素子のうちの所定数の前記配列方向に連続する記録素子のグループ毎に、グループ内の前記所定数の記録素子の各々が予め定められた互いに異なる駆動順序で順番に駆動されるように前記複数の記録素子を駆動する記録装置における、前記記録ヘッドの駆動方法であって、
前記配列方向における前記所定量に相当する数と前記異なる駆動順序が定められる記録素子の数の一方が他方に対して割り切れない第１の場合に、前記記録素子列において、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行うことを特徴とする記録ヘッドの駆動方法。
【請求項１０】
複数の記録素子を配列した記録素子列を備えた記録ヘッドを、当該記録素子の配列方向と交差する方向において走査し、前記記録ヘッドの走査と次の走査の間に、記録媒体を前記記録素子の配列方向に、搬送手段によって搬送して画像の記録を行い、前記複数の記録素子の配列方向に沿った画素列の記録を行うために、前記走査において、前記複数の記録素子のうちの所定数の前記配列方向に連続する記録素子のグループ毎に、グループ内の前記所定数の記録素子の各々が予め定められた互いに異なる駆動順序で順番に駆動されるように前記複数の記録素子を駆動する記録装置における、前記記録ヘッドの駆動方法であって、
前記配列方向における前記走査と次の走査の間の記録媒体の搬送の所定量に相当する数と前記異なる駆動順序が定められる記録素子の数の一方が他方に対して割り切れない第１の場合に、前記記録素子列において、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行うことを特徴とする記録ヘッドの駆動方法。
【請求項１１】
前記第１の場合に、前記記録媒体の搬送の所定量に相当する数と前記駆動順序が異なる記録素子の数との最大公約数の数の連続する記録素子で構成される記録素子単位の間で、前記最大公約数の数の連続する記録素子それぞれの駆動順序を示す数の差が同じになるように、前記複数の記録素子の駆動を行うことを特徴とする請求項９または１０に記載の記録ヘッドの駆動方法。
【請求項１２】
前記配列方向における前記記録媒体の搬送の所定量に相当する数と前記異なる駆動順序が定められる記録素子の数の一方が他方に対して割り切れる場合には、前記第１の場合と異なる駆動順序で前記複数の記録素子を駆動することを特徴とする請求項９から１１のいずれか１項に記載の記録ヘッドの駆動方法。
【請求項１３】
前記第１の場合であって、前記記録媒体の搬送の所定量に相当する数が、前記記録媒体の搬送量と前記駆動順序が異なる記録素子の数との最大公約数で割り切れる場合に、前記記録媒体の搬送量と前記駆動順序が異なる記録素子の数との公約数の数の連続する記録素子で構成される記録素子単位の間で、前記公約数の数の連続する記録素子それぞれの駆動順序を示す数の差が同じになるように、前記複数の記録素子の駆動を行い、前記所定量に相当する数が、前記最大公約数で割り切れない場合には、前記第１の場合と異なる駆動順序で前記複数の記録素子を駆動することを特徴とする請求項９から１２のいずれか１項に記載の記録ヘッドの駆動方法。
【請求項１４】
前記記録媒体の搬送の所定量に相当する数は前記所定数の記録素子に定められる異なる駆動順序の数より大きいことを特徴とする請求項９から１３のいずれか１項に記載の記録ヘッドの駆動方法。